(57)【要約】【課題】プログラム、ラベルイメージ作成方法、及びラベルイメージ作成装置において、複数のラベルが長手方向に直交する幅方向に並べて貼り付け対象物に貼り付けられることを判別する。【解決手段】プログラムは、ラベルイメージＬ１１，Ｌ１２，Ｌ１３が複数配置された作成画面を表示部に表示させる機能と、作成画面内における複数のラベルイメージＬ１１，Ｌ１２，Ｌ１３内に印刷対象である少なくとも１つのパーツＰ１０を配置する機能と、このパーツＰ１０が複数のラベルイメージＬ１１，Ｌ１２，Ｌ１３のうち少なくとも２つのラベルイメージＬ１１，Ｌ１２，Ｌ１３に跨って配置されていることを検出する機能と、をコンピュータに実現させる。【選択図】図８
2018101947.tif 000002
【特許請求の範囲】
【請求項１】
印刷対象が配置された複数のラベルイメージに基づいて、コンピュータにより長尺状の被印刷媒体に印刷を行なわせるためのプログラムであって、
前記複数のラベルイメージのうち１つのラベルイメージの第１方向に沿った第１辺の長さが前記被印刷媒体の幅方向の長さに対応するように、且つ、前記複数のラベルイメージの前記第１方向と直交する第２方向に沿った第２辺の長さが互いに一致し、前記第１方向において前記第１辺の位置が揃うように、前記ラベルイメージが複数配置された作成画面を表示部に表示させる機能と、
前記作成画面内における前記複数のラベルイメージ内に前記印刷対象である少なくとも１つのパーツを配置する機能と、
前記パーツが前記複数のラベルイメージのうち少なくとも２つのラベルイメージに跨って配置されていることを検出する機能と、
をコンピュータに実現させることを特徴とするプログラム。
【請求項２】
前記ラベルイメージ内の周囲にフレームを配置する設定を受け付ける機能と、
前記パーツが前記少なくとも２つのラベルイメージに跨って配置されていることが検出された場合に、前記少なくとも２つのラベルイメージで区画される領域内の周囲に前記フレームを配置する機能と、
を前記コンピュータに更に実現させることを特徴とする請求項１記載のプログラム。
【請求項３】
前記フレームは、絵、図形、湾曲部分、線のうちの少なくとも１つを含み、
前記少なくとも２つのラベルイメージで区画される領域内の周囲に前記フレームを配置する機能では、前記絵又は前記図形の形状又は大きさ、前記湾曲部分の形状、及び、前記ラベルイメージの前記第２方向に延びる前記線の太さ、のうちの少なくとも１つを不変としたまま、単一の前記ラベルイメージ内の周囲に配置される前記フレームを前記ラベルイメージの前記第１方向に延ばして配置する、
ことを特徴とする請求項２記載のプログラム。
【請求項４】
前記パーツが前記少なくとも２つの前記ラベルイメージに跨って配置されていることが検出された場合に、前記少なくとも２つのラベルイメージに含まれるラベルイメージを、前記少なくとも２つのラベルイメージのうちの隣接する他のラベルイメージの一部を含む、前記第１方向に拡張させた拡張ラベルイメージとして作成する機能を前記コンピュータに更に実現させることを特徴とする請求項１から３のいずれか１項記載のプログラム。
【請求項５】
印刷対象が配置された複数のラベルイメージに基づいて長尺状の被印刷媒体に印刷を行うための、ラベルイメージ作成方法であって、
前記複数のラベルイメージのうち１つのラベルイメージの第１方向に沿った第１辺の長さが前記被印刷媒体の幅方向の長さに対応するように、且つ、前記複数のラベルイメージの前記第１方向と直交する第２方向に沿った第２辺の長さが互いに一致し、前記第１方向において前記第１辺の位置が揃うように、前記ラベルイメージが複数配置された作成画面を表示部に表示させ、
前記作成画面内における前記複数のラベルイメージ内に前記印刷対象である少なくとも１つのパーツを配置し、
前記パーツが前記複数のラベルイメージのうち少なくとも２つのラベルイメージに跨って配置されていることを検出する、
ことを特徴とするラベルイメージ作成方法。
【請求項６】
印刷対象が配置された複数のラベルイメージに基づいて長尺状の被印刷媒体に印刷を行うための、表示部と制御部とを備えるラベルイメージ作成装置であって、
前記制御部は、
前記複数のラベルイメージのうち１つのラベルイメージの第１方向に沿った第１辺の長さが前記被印刷媒体の幅方向の長さに対応するように、且つ、前記複数のラベルイメージの前記第１方向と直交する第２方向に沿った第２辺の長さが互いに一致し、前記第１方向において前記第１辺の位置が揃うように、前記ラベルイメージが複数配置された作成画面を前記表示部に表示させ、
前記作成画面内における前記複数のラベルイメージ内に前記印刷対象である少なくとも１つのパーツを配置し、
前記パーツが前記複数のラベルイメージのうち少なくとも２つのラベルイメージに跨って配置されていることを検出する、
ことを特徴とするラベルイメージ作成装置。
【発明の詳細な説明】
【技術分野】
【０００１】
本発明は、プログラム、ラベルイメージ作成方法、及びラベルイメージ作成装置に関する。
【背景技術】
【０００２】
従来、長尺状の被印刷媒体に対し、印刷対象である任意の文字、絵、図形等のパーツからなるラベルイメージの印刷を行ってから長尺状の被印刷媒体を切断することでラベルを作成するラベルプリンタが知られている（例えば、特許文献１参照）。
【先行技術文献】
【特許文献】
【０００３】
【特許文献１】特開２０１１−１９７２２８号公報
【発明の概要】
【発明が解決しようとする課題】
【０００４】
上述のラベルの長手方向（被印刷媒体の搬送方向）の長さは、切断位置で調整することができるが、ラベルの長手方向に直交する幅は、ラベルプリンタに装着される例えばロール状の被印刷媒体ごとに定まるものである。そのため、ラベルが貼り付けられる対象物の所望の貼り付け領域の幅に対し、ラベルの幅が足りない場合がある。この場合、複数のラベルが幅方向に並べて貼り付け対象物に貼り付けられることになる。また、このように複数のラベルを幅方向に並べて貼り付け対象物に貼り付ける場合、複数のラベルに亘る大きさのパーツが一部分ずつ分かれて各ラベルに印刷（拡大印刷）されることがある。
【０００５】
しかしながら、複数のラベルに亘る大きさのパーツが一部分ずつ分かれて各ラベルに印刷され、複数のラベルが幅方向に並べて貼り付け対象物に貼り付けられる際には、例えば、以下の第１の問題点及び第２の問題点が生じる。
【０００６】
まず、第１の問題点について述べる。ラベルには、主に中心部分に印刷されるパーツのほかに、ラベル内の周囲に例えば四角枠状のフレーム（図９のラベルイメージＬ２１，Ｌ２２，Ｌ２３のフレームＦ２１，Ｆ２２，Ｆ２３参照）が印刷される場合がある。このフレームは、通常、ラベルごとに印刷されるが、上述のように複数のラベルに亘る大きさのパーツが一部分ずつ分かれて各ラベルに印刷される場合には、幅方向に並べて貼り付けられる複数のラベルで区画される領域内の周囲に印刷されることが望ましい。
【０００７】
しかしながら、フレームを予め登録されている複数種類のものから選択してラベルイメージに配置してラベルに印刷する場合、フレームが単一のラベルイメージに配置されるべきか複数のラベルイメージに亘って配置されるべきかを判定することができない。そのため、例えば、ラベルイメージの編集操作を行うユーザは、単一のラベルイメージに配置される大きさのフレームを幅方向に拡大させることで、複数のラベルイメージに亘って配置させることになる。但し、このようにフレームを幅方向のみに拡大させると、幅方向に延びる線の太さには変化がないのに対し、長手方向に延びる線の太さは、拡大させる倍率に応じて太くなる。また、フレームが絵や図形などの装飾部分を含む場合、この装飾部分が幅方向のみに拡大すると、装飾部分の形状が崩れてしまう。このように、フレームの形状が崩れるという第１の問題点が生じる。
【０００８】
次に、第２の問題点について述べる。被印刷媒体に印刷や切断を行うことでラベルを作成する際には、被印刷媒体が適宜搬送されながら印刷や切断が行われるが、被印刷媒体が幅方向にわずかに傾いて搬送される場合がある。この場合に、複数のラベルに亘る大きさのパーツを一部分ずつ分けて各ラベルに印刷すると、隣接するラベル間の幅方向の端部で印刷が行われなくなるという第２の問題点も生じる。
【０００９】
上述の、フレームの形状が崩れるという第１の問題点、及びラベルの幅方向の端部で印刷が行われなくなるという第２の問題点は、複数のラベルに亘る大きさのパーツが一部分ずつ分かれて各ラベルに印刷され、複数のラベルが幅方向に並べて貼り付け対象物に貼り付けられるのか否かを判別することができないことに起因するものである。
【００１０】
本発明の目的は、複数のラベルが長手方向に直交する幅方向に並べて貼り付け対象物に貼り付けられることを判別することができる、プログラム、ラベルイメージ作成方法、及びラベルイメージ作成装置を提供することである。
【課題を解決するための手段】
【００１１】
１つの態様では、プログラムは、印刷対象が配置された複数のラベルイメージに基づいて、コンピュータにより長尺状の被印刷媒体に印刷を行なわせるためのプログラムであって、前記複数のラベルイメージのうち１つのラベルイメージの第１方向に沿った第１辺の長さが前記被印刷媒体の幅方向の長さに対応するように、且つ、前記複数のラベルイメージの前記第１方向と直交する第２方向に沿った第２辺の長さが互いに一致し、前記第１方向において前記第１辺の位置が揃うように、前記ラベルイメージが複数配置された作成画面を表示部に表示させる機能と、前記作成画面内における前記複数のラベルイメージ内に前記印刷対象である少なくとも１つのパーツを配置する機能と、前記パーツが前記複数のラベルイメージのうち少なくとも２つのラベルイメージに跨って配置されていることを検出する機能と、をコンピュータに実現させる。
【００１２】
別の１つの態様では、ラベルイメージ作成方法は、印刷対象が配置された複数のラベルイメージに基づいて長尺状の被印刷媒体に印刷を行うための、ラベルイメージ作成方法であって、前記複数のラベルイメージのうち１つのラベルイメージの第１方向に沿った第１辺の長さが前記被印刷媒体の幅方向の長さに対応するように、且つ、前記複数のラベルイメージの前記第１方向と直交する第２方向に沿った第２辺の長さが互いに一致し、前記第１方向において前記第１辺の位置が揃うように、前記ラベルイメージが複数配置された作成画面を表示部に表示させ、前記作成画面内における前記複数のラベルイメージ内に前記印刷対象である少なくとも１つのパーツを配置し、前記パーツが前記複数のラベルイメージのうち少なくとも２つのラベルイメージに跨って配置されていることを検出する。
【００１３】
別の１つの態様では、ラベルイメージ作成装置は、印刷対象が配置された複数のラベルイメージに基づいて長尺状の被印刷媒体に印刷を行うための、表示部と制御部とを備えるラベルイメージ作成装置であって、前記制御部は、前記複数のラベルイメージのうち１つのラベルイメージの第１方向に沿った第１辺の長さが前記被印刷媒体の幅方向の長さに対応するように、且つ、前記複数のラベルイメージの前記第１方向と直交する第２方向に沿った第２辺の長さが互いに一致し、前記第１方向において前記第１辺の位置が揃うように、前記ラベルイメージが複数配置された作成画面を前記表示部に表示させ、前記作成画面内における前記複数のラベルイメージ内に前記印刷対象である少なくとも１つのパーツを配置し、前記パーツが前記複数のラベルイメージのうち少なくとも２つのラベルイメージに跨って配置されていることを検出する。
【発明の効果】
【００１４】
本発明によれば、複数のラベルが長手方向に直交する幅方向に並べて貼り付け対象物に貼り付けられることを判別することができる。
【図面の簡単な説明】
【００１５】
【図１】実施の形態に係るラベルイメージ作成装置を説明するための説明図である。
【図２】実施の形態における印刷装置を示す斜視図である。
【図３】実施の形態における印刷装置の制御ブロック図である。
【図４】実施の形態におけるラベルイメージ作成画面の一例を示す図である。
【図５】実施の形態におけるラベルイメージの編集枚数設定画面の一例を示す図である。
【図６】実施の形態におけるイメージ表示領域の一例を示す図である。
【図７】実施の形態におけるフレームの配置を説明するためのフローチャートである。
【図８】実施の形態におけるフレームの配置を説明するための説明図（その１）である。
【図９】実施の形態におけるフレームの配置を説明するための説明図（その２）である。
【図１０】実施の形態におけるフレームの配置を説明するための説明図（その３）である。
【図１１】実施の形態におけるフレームの第１の例を説明するための説明図（その１）である。
【図１２】実施の形態におけるフレームの第１の例を説明するための説明図（その２）である。
【図１３】実施の形態におけるフレームの第１の例を説明するための説明図（その３）である。
【図１４】実施の形態におけるフレームの第２の例を説明するための説明図（その１）である。
【図１５】実施の形態におけるフレームの第２の例を説明するための説明図（その２）である。
【図１６】実施の形態におけるフレームの第２の例を説明するための説明図（その３）である。
【図１７】実施の形態におけるフレームの第２の例を説明するための説明図（その４）である。
【図１８】実施の形態におけるラベルイメージの拡張を説明するためのフローチャートである。
【図１９】実施の形態におけるラベルイメージの拡張を説明するための説明図である。
【発明を実施するための形態】
【００１６】
以下、本発明の実施の形態に係る、プログラム、ラベルイメージ作成方法、及びラベルイメージ作成装置について、図面を参照しながら説明する。
図１は、実施の形態に係るラベルイメージ作成装置１を説明するための説明図である。
【００１７】
ラベルイメージ作成装置１は、制御部の一例であるＣＰＵ（Central Processing Unit）２と、記憶部３と、入力部４と、表示部５と、インターフェース部６と、記録媒体駆動部７と、を備える。これらの構成要素は、バスライン８を介して接続されており、各種のデータを互いに授受する。なお、ラベルイメージ作成装置１としては、制御部（ＣＰＵ２）と表示部５とを備えるコンピュータであればよく、例えば、パーソナルコンピュータのほか、スマートフォン、タブレットといった携帯型端末が挙げられる。また、印刷装置１００の図３に示す制御部１０３が後述するＣＰＵ２と同様の処理を行い且つ印刷装置１００が表示部を備える場合には、印刷装置１００自体がラベルイメージ作成装置１として機能する。
【００１８】
ＣＰＵ２は、ラベルイメージ作成装置１全体の動作を制御する演算処理装置である。ＣＰＵ２は、ラベルイメージ作成用のプログラムなどの制御プログラムを読み出して実行する。
記憶部３は、ＲＯＭ（Read Only Memory）、ＲＡＭ（Random Access Memory）、ハードディスクなどを含む。
【００１９】
ＲＯＭは、所定の基本制御プログラムが予め記録されている読み出し専用半導体メモリである。なお、ＲＯＭとして、フラッシュメモリ等の、電力供給の停止に対して記憶データが不揮発性であるメモリを使用してもよい。
【００２０】
ＲＡＭは、ＣＰＵ２が各種の制御プログラムを実行する際に、必要に応じて作業用記憶領域として使用される随時書き込み読み出し可能な半導体メモリである。
ハードディスクは、ＣＰＵ２によって実行される各種の制御プログラムや各種のデータを記憶する。
【００２１】
入力部４は、例えばキーボード装置やマウス装置であり、ラベルイメージ作成装置１のユーザにより操作されると、その操作内容に対応付けられているユーザからの各種の入力情報を取得し、取得した入力情報をＣＰＵ２に送る。
【００２２】
表示部５は、例えばディスプレイであり、ラベルイメージを作成するための作成画面であるラベルイメージ作成画面５０を表示する。なお、表示部５がタッチパネルである場合には、表示部５が入力部４を兼ねることになる。
【００２３】
インターフェース部６は、各種機器との間での各種情報の授受の管理を行う。インターフェース部６は、例えば、有線又は無線で接続された印刷装置１００に対して、任意の文字、絵、図形等からなる印刷対象であるパーツの少なくとも一部を含むラベルイメージ（印刷データ）を送信する。なお、ラベルイメージ作成装置１と印刷装置１００とを備えるシステムを、印刷システムと捉えることができる。
【００２４】
記録媒体駆動部７は、可搬型記録媒体９に記録されている各種の制御プログラムやデータの読み出しを行う装置である。ＣＰＵ２は、可搬型記録媒９に記録されている所定のプログラムを、記録媒体駆動部７を介して読み出して実行することによって、ラベルイメージ作成の各処理を行うようにすることができる。なお、可搬型記録媒体９としては、例えばＣＤ−ＲＯＭ（Compact Disc Read Only Memory）、ＤＶＤ−ＲＯＭ（Digital Versatile Disc Read Only Memory）、ＵＳＢ規格のコネクタが備えられているフラッシュメモリなどがある。
【００２５】
ＣＰＵ２を備えるコンピュータをラベルイメージ作成装置１として動作させるためには、まず、各処理をＣＰＵ２に行わせるための制御プログラムが作成される。この作成された制御プログラムは、記憶部３のハードディスク装置又は可搬型記録媒体９に予め格納される。そして、ＣＰＵ２に所定の指示が与えられることで、制御プログラムが読み出されて実行される。これにより、ＣＰＵ２を備えるコンピュータが、ラベルイメージ作成装置１として動作する。なお、本実施の形態のプログラムは、印刷対象（パーツ）が配置された複数のラベルイメージに基づいて、コンピュータにより長尺状の被印刷媒体Ｍに印刷を行なわせるためのプログラム（例えば、ラベルイメージを作成するためのプログラム）である。
【００２６】
図２は、本実施の形態における印刷装置１００を示す斜視図である。
図３は、印刷装置１００の制御ブロック図である。
図２及び図３に示す印刷装置１００は、図１に示すラベルイメージ作成装置１から受信したラベルイメージを長尺状の被印刷媒体Ｍに対し印刷した後、設定された長さに切断することによりラベルを作成する。
【００２７】
図２に示す装置筐体１０１には、被印刷媒体Ｍを装置筐体１０１の外部へ排出する排出口１０１ａが形成されている。装置筐体１０１には、電源コード接続端子や、後述するインターフェース部１０２として機能する外部機器接続端子及び記憶媒体挿入口が設けられている。また、装置筐体１０１には、例えば、被印刷媒体Ｍを収容するカセットを着脱するための図示しない開閉蓋が設けられている。
【００２８】
図３に示すように、印刷装置１００は、インターフェース部１０２、制御部１０３、ＲＯＭ１０４、ＲＡＭ１０５、ヘッド駆動回路１０６、印刷部の一例である印字ヘッド１０７、搬送用モータ駆動回路１０８、搬送用モータ１０９、搬送ローラ１１０、カッターモータ駆動回路１１１、カッターモータ１１２、フルカット機構１１３、ハーフカット機構１１４、及びテープ幅検出スイッチ１１５を備える。
【００２９】
インターフェース部１０２は、ラベルイメージ作成装置１のインターフェース部６と有線又は無線で接続され、ラベルイメージ作成装置１からラベルイメージを受信する。
制御部１０３は、例えばマイクロプロセッサであって、ＲＯＭ１０４に予め記憶されているシステムプログラム、メモリカードに記憶された制御プログラム、外部機器から読み込まれた制御プログラム等を起動させ、ＲＡＭ１０５をワークメモリとして回路各部の動作を制御する。
【００３０】
ヘッド駆動回路１０６は、インターフェース部１０２がラベルイメージ作成装置１から受信しＲＡＭ１０６に記憶されたラベルイメージに基づいて印字ヘッド１０７を制御する。印字ヘッド１０７は、この制御に応じて、搬送ローラ１１０であるプラテンローラとの間においてインクリボンを用いた熱転写により被印刷媒体Ｍに所望のラベルイメージを印刷する。
【００３１】
搬送用モータ駆動回路１０８は、ＲＡＭ１０５に記憶されたラベルイメージに基づいて搬送用モータ１０９を制御することによって、搬送ローラ１１０を制御し、印字ヘッド１０７による被印刷媒体Ｍへの印刷中、所望の速度で当該被印刷媒体Ｍを搬送させる。
【００３２】
カッターモータ駆動回路１１１は、被印刷媒体Ｍの基材及びこの基材の粘着面に貼り付けられた剥離紙の両方をカットするフルカット機構１１３と、被印刷媒体Ｍの基材のみをカットするハーフカット機構１１４と、を稼働させるカッターモータ１１２の動作を制御する。
【００３３】
テープ幅検出スイッチ１１５は、装置筐体１０１内のカセット収納部に設けられており、このカセット収納部に挿入されるテープカセットに形成された凹凸部の形状を検知することで、テープカセットの種類、つまり被印刷媒体Ｍのテープ幅を自動的に判別する。
【００３４】
なお、上述の印刷装置１００は、あくまで一例であって、本実施の形態における印刷装置としては、ラベルイメージを被印刷媒体Ｍに印刷することにより印刷物を作成する装置であればよい。例えば、印刷部の一例である印字ヘッド１０７が、インクジェット方式などの他の印刷方式により被印刷媒体Ｍに印刷を行う印刷部であってもよい。
【００３５】
また、印刷装置１０１が、入力部や表示部を備えてもよい。この入力部としては、例えば、文字、絵、図形等のパーツが入力される入力キー、印刷開始を指示する印刷キー、表示部の表示画面上のカーソルを移動操作するカーソルキー、印刷モードの設定や各種設定処理を行う種々の制御キーなどのいずれか又は全部を有する入力部が挙げられる。また、表示部としては、例えば、液晶表示パネルであって、入力部からの入力に対応する文字、絵、図形等や、各種の設定のための選択メニューや、エラー時のユーザへの報知のための画面や、各種の処理に関するメッセージ等を表示する表示部が挙げられる。
【００３６】
図４は、実施の形態におけるラベルイメージ作成画面５０の一例を示す図である。
図４に示すラベルイメージ作成画面５０は、図１に示すラベルイメージ作成装置１の表示部５に表示される画像の一例である。
【００３７】
ラベルイメージ作成画面５０は、メニューバー５１、ツールバー大５２、ツールバー小５３、イメージ表示領域５４、ラベル設定部５５、及び文字設定部５６を含む。
メニューバー５１は、ファイル、編集等の各メニューが押下されることで、各メニューに関連する機能一覧を表示する。
【００３８】
ツールバー大５２及びツールバー小５３には、それぞれボタン大又はボタン小が配列され、各ボタン（アイコン）が押下されることで操作に対応する処理をＣＰＵ２が実行する。
イメージ表示領域５４の上端及び左端には、図６に示すように位置座標を表す目盛り５４ａがｍｍ単位で表されている。目盛り５４ａの横軸は、図２に示す被印刷媒体Ｍの搬送方向（長手方向）であるラベルイメージＬ１１，Ｌ１２，Ｌ１３の第２方向Ｔの長さを表し、目盛り５４ａの縦軸は、第２方向Ｔと直交する第１方向（被印刷媒体Ｍの幅方向に対応）ＷにおけるラベルイメージＬ１１，Ｌ１２，Ｌ１３の幅を表す。ここで、複数のラベルイメージＬ１１，Ｌ１２，Ｌ１３のうち１つのラベルイメージの第１方向Ｗに沿った第１辺Ｓ１の長さが被印刷媒体Ｍの幅方向の長さに対応する。また、複数のラベルイメージＬ１１，Ｌ１２，Ｌ１３の第２方向Ｔに沿った第２辺Ｓ２の長さは互いに一致する。また、ラベルイメージＬ１１，Ｌ１２，Ｌ１３は、第１方向Ｗにおいて第１辺Ｓ１の位置が揃うように複数配置されている。ラベルイメージＬ１１，Ｌ１２，Ｌ１３は、第１方向Ｗに並べで表示されており、図６では印刷対象であるパーツがラベルイメージＬ１１，Ｌ１２，Ｌ１内に配置される前の段階で表されているが、略同じ大きさの複数のラベルにそれぞれ個別に印刷される。なお、図６では、ラベルイメージＬ１１，Ｌ１２，Ｌ１３の左辺に第１辺Ｓ１の符号を付し、上辺に第２辺Ｌ２の符号を付しているが、右辺も第１辺Ｓ１といえ、また、下辺も第２辺Ｌ２といえる。また、印刷装置１００においては、ラベルイメージＬ１１，Ｌ１２，Ｌ１３の内容が例えば左端から右端に右方向に印刷される。
【００３９】
ラベルイメージＬ１１，Ｌ１２，Ｌ１３の数は、例えば、図５に示すように、ラベルイメージ編集枚数設定画面５７において、ユーザによって編集枚数を設定される。これにより、ＣＰＵ２が、編集枚数の設定を受け付け、ラベルイメージ作成画面５０（イメージ表示領域５４）に設定枚数のラベルイメージＬ１１，Ｌ１２，Ｌ１３を表示する。
【００４０】
図４に示すラベル設定部５５では、作成されるラベルイメージＬ１１，Ｌ１２，Ｌ１３（ラベル）の幅、長さ等の設定が行われる。
文字設定部５６では、ラベルイメージＬ１１，Ｌ１２，Ｌ１３を構成する１つ以上のパーツ（後述する図８に示すパーツＰ１０参照）に含まれる文字のフォント、サイズ、向き等の設定が行われる。
【００４１】
図７は、実施の形態におけるフレームの配置を説明するためのフローチャートである。
図７に示すフローチャートの処理は、ＣＰＵ２がラベルイメージ作成画面５０を図１に示す表示部５に表示させた後、或いは、更に、表示部５のラベルイメージ作成画面５０内における複数のラベルイメージＬ１１，Ｌ１２，Ｌ１３内に印刷対象である複数のパーツがユーザの操作に基づき配置された後に、行われる。なお、ユーザの操作は、上述のように、例えば、図１に示す入力部４のキーボード装置やマウス装置を用いて行われる。
【００４２】
まず、ＣＰＵ２は、図４に示すツールバー大５２の「フレーム」ボタンがユーザにより押下されることで例えば図８に示すフレームＦ１０を配置する設定を受け付けたことを、例えば設定を受け付けるまで継続的に判定する（ステップＳ１１）。なお、フレームＦ１０は、ラベルイメージＬ１１，Ｌ１２，Ｌ１３内の周囲に配置されるものであり、図８では矩形枠状のものを示すが、例えば、角が丸まった矩形枠状、絵や図形などの装飾部分を含む枠状などであってもよい。
【００４３】
ＣＰＵ２は、フレームＦ１０を配置する設定を受け付けなかった場合（ステップＳ１１：ＮＯ）、図７に示すフローチャートの処理を終了する。なお、設定を受け付けなかった場合とは、例えば、フレームＦ１０を配置する設定を受け付ける前に、ラベルイメージＬ１１，Ｌ１２，Ｌ１３の編集完了の操作や、ラベルイメージＬ１１，Ｌ１２，Ｌ１３を印刷装置１００に送信する操作を受け付けた場合である。
【００４４】
ＣＰＵ２は、フレームＦ１０を配置する設定を受け付けた場合（ステップＳ１１：ＹＥＳ）、ラベルイメージＬ１１，Ｌ１２，Ｌ１３の編集枚数が複数枚であるかを判定する（ステップＳ１２）。ラベルイメージＬ１１，Ｌ１２，Ｌ１３の編集枚数は、上述のように、図５に示すラベルイメージ編集枚数設定画面５７においてユーザによって設定された枚数、すなわち、図６に示すイメージ表示領域５４に表示されるラベルイメージＬ１１，Ｌ１２，Ｌ１３の枚数である。或いは、設定枚数が設定された後、ユーザの編集操作の途中で、ラベルイメージを複製する操作等に基づき編集枚数が増えた場合には、この増えた編集枚数である。
【００４５】
ＣＰＵ２は、ラベルイメージＬ１１，Ｌ１２，Ｌ１３の編集枚数が複数枚であると判定した場合（ステップＳ１２：ＹＥＳ）、図８に示すパーツＰ１０が複数のラベルイメージＬ１１，Ｌ１２，Ｌ１３に跨って配置されているかを判定する（ステップＳ１３）。パーツＰ１０が少なくとも２つのラベルイメージＬ１１，Ｌ１２，Ｌ１３に跨って配置されているかの検出は、例えば、各ラベルイメージＬ１１，Ｌ１２，Ｌ１３の位置座標の情報と、パーツＰ１０の位置座標の情報とを照らし合わせることにより行えばよい。
【００４６】
なお、図８に示すパーツＰ１０は、「危険」という文字からなるパーツであるが、パーツとしては、文字からなるパーツに限られず、絵からなるパーツや、図形からなるパーツや、文字、絵、図形等の組み合わせからなるパーツであってもよい。また、ラベルイメージＬ１１，Ｌ１２，Ｌ１３には、複数のパーツが配置されることがあり、この場合、少なくとも１つのパーツが複数のラベルイメージＬ１１，Ｌ１２，Ｌ１３に跨って配置されているかを判定すればよい。
【００４７】
ＣＰＵ２は、パーツＰ１０が複数のラベルイメージＬ１１，Ｌ１２，Ｌ１３に跨って配置されていると判定した場合（ステップＳ１３：ＹＥＳ）、パーツＰ１０が跨って配置されている少なくとも２つのラベルイメージＬ１１，Ｌ１２，Ｌ１３で区画される領域（すなわち各ラベルイメージＬ１１，Ｌ１２，Ｌ１３の領域を足し合わせた領域）内の周囲にフレームＦ１０を配置する（ステップＳ１４）。
【００４８】
ＣＰＵ２は、上述のステップＳ１２において、ラベルイメージＬ１１，Ｌ１２，Ｌ１３の編集枚数が複数枚でないと判定した場合（ステップＳ１２：ＮＯ）には、単一のラベルイメージ内の周囲にフレームを配置する（ステップＳ１５）。
【００４９】
また、ＣＰＵ２は、編集枚数が複数枚と判定した場合（ステップＳ１２：ＹＥＳ）でも、パーツＰ１０が複数のラベルイメージＬ１１，Ｌ１２，Ｌ１３に跨って配置されていないと判定した場合（ステップＳ１３：ＮＯ）、例えば、図９に示すように、各ラベルイメージＬ２１，Ｌ２２，Ｌ２３に対し、他のラベルイメージに跨がない「樫尾一郎」、「樫尾二郎」、「樫尾三郎」という文字からなるパーツＰ２１，Ｐ２２，Ｐ２３のみが配置されている場合、各ラベルイメージＬ２１，Ｌ２２，Ｌ２３内の周囲にフレームＦ２１，Ｆ２２,Ｆ２３を配置する（ステップＳ１５）。
【００５０】
なお、図１０に示すように、ラベルイメージ作成画面５０（イメージ表示領域５４）内に表示された複数のラベルイメージＬ３１，Ｌ３２，Ｌ３３のうちの一部である２つ（複数）のラベルイメージＬ３１，Ｌ３２に跨って例えば「あいうえお」という文字からなるパーツＰ３１が配置される場合がある。この場合、ＣＰＵ２は、パーツＰ３１が跨って配置されている２つのラベルイメージＬ３１，Ｌ３２で区画される領域内の周囲にフレームＦ３１を配置し（ステップＳ１４）、複数のラベルイメージを跨がない、例えば、「かきくけこ」という文字からなるパーツＰ３２、及び「さしすせそ」という文字からなるパーツＰ３３からなるラベルイメージＬ３３内の周囲にフレームＦ３３を配置する（ステップＳ１５）。
【００５１】
ところで、図１１に示すように、予め設定された形状が、角が丸まった矩形枠状部分Ｆ４１ａと、この矩形枠状部分Ｆ４１ａの四つ角の対角線方向に対向する２つの角に位置する装飾部分（例えば花の絵）Ｆ４１ｂ，Ｆ４１ｃと、を含む形状であるフレームＦ４１について考える。通常、ラベル（ラベルイメージ）の第２方向Ｔの長さは、ラベルごとに異なることが多いため、装飾部分Ｆ４１ｂ，Ｆ４１ｃの形状及び大きさは不変とし、矩形枠状部分Ｆ４１ａの第２方向Ｔに延びる横線のみを第２方向Ｔに延ばすことが望ましい。
【００５２】
また、例えば、上述のように３つのラベルイメージで区画される領域内の周囲に配置するために、図１２に示すフレームＦ４２のように、図１１に示すフレームＦ４１を第１方向Ｗに単純に３倍延ばすと、装飾部分Ｆ４２ｂ，Ｆ４２ｃの形状が崩れる。また、詳しくは図１４〜図１７を参照しながら後述するが、矩形枠状部分Ｆ４１ａの横線が３倍の太さになる。そのため、図１３に示すフレームＦ４３のように、装飾部分Ｆ４３ｂ，Ｆ４３ｃの形状及び大きさは不変とし、且つ、矩形枠状部分Ｆ４３ａの横線の太さを一定としたまま、矩形枠状部分Ｆ４３ａのみを第１方向Ｗのみに３倍延ばすとよい。なお、矩形枠状部分Ｆ４３ａのうち装飾部分Ｆ４３ｂ，Ｆ４３ｃが設けられていない２つの角の湾曲部分についても、詳しくは後述するが、形状を一定としてもよい。また、横線の太さを一定として第１方向Ｗに延ばすのが望ましいことについては、矩形枠状の図８に示すフレームＦ１０及び図１０に示すフレームＦ３１についても同様である。
【００５３】
次に、図１４に示すように、予め設定された形状が、角が丸まった矩形枠状のフレームＦ５１について考える。このフレームＦ５１は、第２方向Ｔに延びる２本の横線Ｆ５１ａと、第１方向Ｗに延びる２本の縦線Ｆ５１ｂと、四つ角の曲率半径が一定の湾曲部分Ｆ５１ｃと、を含む。図１５に示すフレームＦ５２のように、図１４に示すフレームＦ５１を第１方向Ｗのみに３倍延ばすと、横線Ｆ５２ａは３倍の太さとなり、湾曲部分Ｆ５２ｃは曲率半径が一定ではなくなる（形状が変化する）。なお、縦線Ｆ５２ｂの太さは一定である。
【００５４】
そのため、図１６に示すフレームＦ５３のように、横線Ｆ５３ａの太さと湾曲部分Ｆ５３ｃの形状及び大きさとを不変としたまま、第１方向Ｗに３倍延ばすとよい。上述のように縦線Ｆ５３ｂの太さは一定のままである。
【００５５】
或いは、図１７に示すフレームＦ５４のように、横線Ｆ５４ａ及び縦線Ｆ５４ｂの太さと湾曲部分Ｆ５４ｃの形状を不変としたまま、湾曲部分Ｆ５４ｃの大きさ（曲率半径）は大きくしてもよい。
【００５６】
図１８は、図１９に示すラベルイメージＬ６１，Ｌ６２，Ｌ６３の拡張を説明するためのフローチャートである。
図１８に示すフローチャートの処理は、ＣＰＵ２が上述のフレームの配置の処理を行った後、或いは、このフレームの配置の処理が行われなかった場合には、例えば、図１９に示すラベルイメージＬ６１，Ｌ６２，Ｌ６３の編集完了の操作や、ラベルイメージＬ６１，Ｌ６２，Ｌ６３を印刷装置１００に送信する操作を受け付けた後に行われる。
【００５７】
まず、ＣＰＵ２は、ラベルイメージＬ６１，Ｌ６２，Ｌ６３の編集枚数が複数枚であるかを判定する（ステップＳ２１）。この判定処理は、上述の図７に示すステップＳ１２の処理と同様にすることができる。
【００５８】
ＣＰＵ２は、ラベルイメージＬ６１，Ｌ６２，Ｌ６３の編集枚数が複数枚であると判定した場合（ステップＳ２１：ＹＥＳ）、図１９に示す例えば「危険」という文字からなるパーツＰ６０が複数のラベルイメージＬ６１，Ｌ６２，Ｌ６３に跨って配置されているかを判定する（ステップＳ２２）。この判定処理は、上述の図７に示すステップＳ１３の処理と同様にすることができる。
【００５９】
ＣＰＵ２は、パーツＰ６０が複数のラベルイメージＬ６１，Ｌ６２，Ｌ６３に跨って配置されていると判定した場合（ステップＳ２２：ＹＥＳ）、パーツＰ６０が跨って配置されている少なくとも２つのラベルイメージＬ６１，Ｌ６２，Ｌ６３に含まれるラベルイメージを、少なくとも２つのラベルイメージＬ６１，Ｌ６２，Ｌ６３のうちの隣接する他のラベルイメージの一部を含む、第１方向Ｗに拡張させた拡張ラベルイメージＬ６１−１，Ｌ６２−１，Ｌ６３−１として作成する（ステップＳ２３）。
【００６０】
例えば、図１９に示すように、まず、ラベルイメージＬ６１，Ｌ６２，Ｌ６３のそれぞれから、隣接するラベルイメージ側の端部（例えば１ｍｍ）の端部領域Ｌ６１ｂ，Ｌ６２ｂ，Ｌ６２ｃ，Ｌ６３ｂ（端部領域以外の主領域はＬ６１ａ，Ｌ６２ａ，Ｌ６３ａ）のイメージデータをコピーして隣接するラベルイメージに貼り付ける。これにより、各ラベルイメージＬ６１（Ｌ６１ａ＋Ｌ６１ｂ），Ｌ６２（Ｌ６２ａ＋Ｌ６２ｂ），Ｌ６３（Ｌ６３ａ＋Ｌ６３ｂ）を第１方向Ｗに拡張させた拡張ラベルイメージＬ６１−１（Ｌ６１ａ＋Ｌ６１ｂ＋Ｌ６２ｂ），Ｌ６２−１（Ｌ６２ａ＋Ｌ６２ｂ＋Ｌ６１ｂ＋Ｌ６３ｂ），Ｌ６３−１（Ｌ６３ａ＋Ｌ６３ｂ＋Ｌ６２ｃ）を作成する。
【００６１】
なお、ＣＰＵ２は、ラベルイメージＬ６１，Ｌ６２，Ｌ６３の編集枚数が複数枚でないと判定した場合（ステップＳ２１：ＮＯ）や、パーツＰ６０が複数のラベルイメージＬ６１，Ｌ６２，Ｌ６３に跨って配置されていないと判定した場合（ステップＳ２２：ＮＯ）、上述の拡張ラベルイメージＬ６１−１，Ｌ６２−１，Ｌ６３−１を作成しない元々のラベルイメージＬ６１，Ｌ６２，Ｌ６３を、そのまま編集が完了したラベルイメージとして保存したり或いは印刷装置１００に送信したりする（ステップＳ２４）。
【００６２】
以上説明した本実施の形態では、プログラムは、印刷対象であるパーツＰ１０が配置された複数のラベルイメージＬ１１，Ｌ１２，Ｌ１３に基づいて、コンピュータにより長尺状の被印刷媒体Ｍに印刷を行なわせるためのプログラム（例えば、ラベルイメージを作成するためのプログラム）であって、複数のラベルイメージＬ１１，Ｌ１２，Ｌ１３のうち１つのラベルイメージの第１方向Ｗに沿った第１辺Ｓ１の長さが被印刷媒体Ｍの幅方向の長さに対応するように、且つ、複数のラベルイメージＬ１１，Ｌ１２，Ｌ１３の第１方向Ｗと直交する第２方向Ｔに沿った第２辺Ｓ２の長さが互いに一致し、第１方向Ｗにおいて第１辺Ｓ１の位置が揃うように、ラベルイメージＬ１１，Ｌ１２，Ｌ１３が複数配置された作成画面であるラベルイメージ作成画面５０を表示部５に表示させる機能と、ラベルイメージ作成画面５０内におけるラベルイメージＬ１１，Ｌ１２，Ｌ１３内に少なくとも１つのパーツＰ１０を配置する機能と、このパーツＰ１０が複数のラベルイメージＬ１１，Ｌ１２，Ｌ１３のうち少なくとも２つのラベルイメージＬ１１，Ｌ１２，Ｌ１３に跨って配置されていることを検出する機能と、をコンピュータに実現させる。
【００６３】
このように、パーツＰ１０が複数のラベルイメージＬ１１，Ｌ１２，Ｌ１３に跨って配置されていることを検出することで、ラベルイメージＬ１１，Ｌ１２，Ｌ１３を印刷される複数のラベルが、第２方向Ｔに直交する第１方向Ｗに並べて貼り付け対象物に貼り付けられることを判別することができる。
【００６４】
また、本実施の形態では、プログラムは、ラベルイメージＬ１１，Ｌ１２，Ｌ１３内の周囲にフレームＦ１０を配置する設定を受け付ける機能と、パーツＰ１０が複数のラベルイメージＬ１１，Ｌ１２，Ｌ１３のうち少なくとも２つのラベルイメージＬ１１，Ｌ１２，Ｌ１３に跨って配置されていることが検出された場合に、パーツＰ６０が跨って配置されている少なくとも２つのラベルイメージＬ１１，Ｌ１２，Ｌ１３で区画される領域内の周囲にフレームＦ１０を配置する機能と、をコンピュータに更に実現させる。そのため、パーツＰ６０が跨って印刷される複数のラベルに、合わせて１つのフレームを印刷することができる。
【００６５】
また、本実施の形態では、上記のフレームは、絵（装飾部分Ｆ４１ｂ，Ｆ４１ｃ）、図形、湾曲部分Ｆ５１ｃ、線（横線Ｆ５１ａ，縦線Ｆ５１ｂ）のうちの少なくとも１つを含み、上記の少なくとも２つのラベルイメージＬ１１，Ｌ１２，Ｌ１３で区画される領域内の周囲にフレームＦ１０を配置する機能では、絵又は図形の形状又は大きさと、湾曲部分Ｆ５１ｃの形状と、フレームＦ５１に含まれる第２方向Ｔに延びる線（直線である横線Ｆ５１ａ）の太さと、のうちの少なくとも１つを不変としたまま、単一のラベルイメージ内の周囲に配置されるフレームを第１方向Ｗに延ばして配置する。そのため、ユーザが単一のラベルイメージに配置される大きさのフレームを、複数のラベルイメージに亘る大きさのフレームとなるように第１方向Ｗのみに拡大させることに起因して、フレームＦ５２の第２方向Ｔに延びる横線Ｆ５２ａの太さが拡大させる倍率に応じて太くなったり、フレームＦ４２の装飾部分Ｆ４２ｂ，Ｆ４２ｃの形状が崩れたりするのを防ぐことができる。
【００６６】
また、本実施の形態では、プログラムは、パーツＰ６０が跨って配置されている少なくとも２つのラベルイメージＬ６１，Ｌ６２，Ｌ６３に含まれるラベルイメージを、少なくとも２つのラベルイメージＬ６１，Ｌ６２，Ｌ６３のうちの隣接する他のラベルイメージの一部を含む、第１方向Ｗに拡張させた拡張ラベルイメージＬ６１−１，Ｌ６２−１，Ｌ６３−１として作成する機能をコンピュータに更に実現させる。そのため、ラベルを作成するための被印刷媒体が幅方向に傾いて搬送された場合に複数のラベルに亘る大きさのパーツを一部分ずつ分けて各ラベルに印刷することでラベルイメージの幅方向の端部で印刷が行われなくなるのを防ぐことができる。
【００６７】
以上、本発明の実施の形態を説明したが、本願発明は特許請求の範囲に記載された発明とその均等の範囲を含む。以下に、本願の出願当初の特許請求の範囲に記載された発明を付記する。
【００６８】
［付記１］
印刷対象が配置された複数のラベルイメージに基づいて、コンピュータにより長尺状の被印刷媒体に印刷を行なわせるためのプログラムであって、
前記複数のラベルイメージのうち１つのラベルイメージの第１方向に沿った第１辺の長さが前記被印刷媒体の幅方向の長さに対応するように、且つ、前記複数のラベルイメージの前記第１方向と直交する第２方向に沿った第２辺の長さが互いに一致し、前記第１方向において前記第１辺の位置が揃うように、前記ラベルイメージが複数配置された作成画面を表示部に表示させる機能と、
前記作成画面内における前記複数のラベルイメージ内に前記印刷対象である少なくとも１つのパーツを配置する機能と、
前記パーツが前記複数のラベルイメージのうち少なくとも２つのラベルイメージに跨って配置されていることを検出する機能と、
をコンピュータに実現させることを特徴とするプログラム。
【００６９】
［付記２］
前記ラベルイメージ内の周囲にフレームを配置する設定を受け付ける機能と、
前記パーツが前記少なくとも２つのラベルイメージに跨って配置されていることが検出された場合に、前記少なくとも２つのラベルイメージで区画される領域内の周囲に前記フレームを配置する機能と、
を前記コンピュータに更に実現させることを特徴とする付記１記載のプログラム。
【００７０】
［付記３］
前記フレームは、絵、図形、湾曲部分、線のうちの少なくとも１つを含み、
前記少なくとも２つのラベルイメージで区画される領域内の周囲に前記フレームを配置する機能では、前記絵又は前記図形の形状又は大きさ、前記湾曲部分の形状、及び、前記ラベルイメージの前記第２方向に延びる前記線の太さ、のうちの少なくとも１つを不変としたまま、単一の前記ラベルイメージ内の周囲に配置される前記フレームを前記ラベルイメージの前記第１方向に延ばして配置する、
ことを特徴とする付記２記載のプログラム。
【００７１】
［付記４］
前記パーツが前記少なくとも２つの前記ラベルイメージに跨って配置されていることが検出された場合に、前記少なくとも２つのラベルイメージに含まれるラベルイメージを、前記少なくとも２つのラベルイメージのうちの隣接する他のラベルイメージの一部を含む、前記第１方向に拡張させた拡張ラベルイメージとして作成する機能を前記コンピュータに更に実現させることを特徴とする付記１から３のいずれか記載のプログラム。
【００７２】
［付記５］
印刷対象が配置された複数のラベルイメージに基づいて長尺状の被印刷媒体に印刷を行うための、ラベルイメージ作成方法であって、
前記複数のラベルイメージのうち１つのラベルイメージの第１方向に沿った第１辺の長さが前記被印刷媒体の幅方向の長さに対応するように、且つ、前記複数のラベルイメージの前記第１方向と直交する第２方向に沿った第２辺の長さが互いに一致し、前記第１方向において前記第１辺の位置が揃うように、前記ラベルイメージが複数配置された作成画面を表示部に表示させ、
前記作成画面内における前記複数のラベルイメージ内に前記印刷対象である少なくとも１つのパーツを配置し、
前記パーツが前記複数のラベルイメージのうち少なくとも２つのラベルイメージに跨って配置されていることを検出する、
ことを特徴とするラベルイメージ作成方法。
【００７３】
［付記６］
印刷対象が配置された複数のラベルイメージに基づいて長尺状の被印刷媒体に印刷を行うための、表示部と制御部とを備えるラベルイメージ作成装置であって、
前記制御部は、
前記複数のラベルイメージのうち１つのラベルイメージの第１方向に沿った第１辺の長さが前記被印刷媒体の幅方向の長さに対応するように、且つ、前記複数のラベルイメージの前記第１方向と直交する第２方向に沿った第２辺の長さが互いに一致し、前記第１方向において前記第１辺の位置が揃うように、前記ラベルイメージが複数配置された作成画面を前記表示部に表示させ、
前記作成画面内における前記複数のラベルイメージ内に前記印刷対象である少なくとも１つのパーツを配置し、
前記パーツが前記複数のラベルイメージのうち少なくとも２つのラベルイメージに跨って配置されていることを検出する、
ことを特徴とするラベルイメージ作成装置。
【符号の説明】
【００７４】
１・・・ラベルイメージ作成装置、２・・・ＣＰＵ、５・・・表示部、５０・・・ラベル作成画面、５４・・・イメージ表示領域、１００・・・印刷装置、Ｆ１０等・・・フレーム、Ｌ１１等・・・ラベルイメージ、Ｐ１０等・・・パーツ、Ｓ１・・・第１辺、Ｓ２・・・第２辺、Ｔ・・・第２方向、Ｗ・・・第１方向
【図１】
2018101947.tif 000003
【図２】
2018101947.tif 000004
【図３】
2018101947.tif 000005
【図４】
2018101947.tif 000006
【図５】
2018101947.tif 000007
【図６】
2018101947.tif 000008
【図７】
2018101947.tif 000009
【図８】
2018101947.tif 000010
【図９】
2018101947.tif 000011
【図１０】
2018101947.tif 000012
【図１１】
2018101947.tif 000013
【図１２】
2018101947.tif 000014
【図１３】
2018101947.tif 000015
【図１４】
2018101947.tif 000016
【図１５】
2018101947.tif 000017
【図１６】
2018101947.tif 000018
【図１７】
2018101947.tif 000019
【図１８】
2018101947.tif 000020
【図１９】
2018101947.tif 000021